(57)【要約】【課題】本発明は、テレビレンズのズームレンズを操作するズームデマンドにおいて、一つのズームデマンドを２種類のパン棒に連結することができるテレビレンズの操作装置を提供する。【解決手段】アタッチメント部材５０は、雌型のパン棒２２２の連結部２２４に挿入される棒状の連結部５２と、雌型のズームデマンド１２６の連結部１２８に挿入される棒状の連結部５４とから構成される。パン棒２２２にズームデマンド１２６を連結する場合には、まず、アタッチメント部材５０の連結部５４をズームデマンド１２６の連結部１２８に挿入し、クランプ部４４によってズームデマンド１２６の連結部１２８とアタチメント部材５０の連結部５４とを固定する。次に、アタッチメント部材５０の連結部５２をパン棒２２２の連結部２２４に挿入し、クランプ部４４によってパン棒２２２の連結部２２４とアタッチメント部材５０の連結部５２とを固定する。これによって、雌型のパン棒２２２に雌型のズームデマンド１２６を連結することができる。【選択図】  図４
2006333223.tif 000002
【特許請求の範囲】
【請求項１】
雲台の操作棒に連結されるとともに前記雲台に載置されたテレビレンズを操作する操作装置であって、
連結部が凸形状の雄型の前記操作棒に取り付けられる、連結部が凹形状の雌型の操作装置、又は連結部が凹形状の雌型の前記操作棒に取り付けられる、連結部が凸形状の雄型の操作装置のうち、前記雌型の操作装置を有し、
該雌型の操作装置を前記雌型の操作棒に取り付けるための棒状のアタッチメント部材を有することを特徴とするテレビレンズの操作装置。
【請求項２】
前記アタッチメント部材は、前記雌型の操作装置に出し入れ自在に設けられていることを特徴とする請求項１に記載のテレビレンズの操作装置。
【請求項３】
雲台の操作棒に連結されるとともに前記雲台に載置されたテレビレンズを操作する操作装置であって、
連結部が凸形状の雄型の前記操作棒に取り付けられる、連結部が凹形状の雌型の操作装置、又は連結部が凹形状の雌型の前記操作棒に取り付けられる、連結部が凸形状の雄型の操作装置のうち、前記雄型の操作装置を有し、
該雄型の操作装置を前記雄型の操作棒に取り付けるための筒状のアタッチメント部材を有することを特徴とするテレビレンズの操作装置。
【発明の詳細な説明】
【技術分野】
【０００１】
本発明はテレビレンズの操作装置に係り、特に雲台の操作棒に連結されるとともにズーレンズを操作するズームデマンド等のテレビレンズの操作装置に関する。
【背景技術】
【０００２】
放送用テレビカメラに用いられるＥＦＰレンズ装置又はＥＮＧレンズ装置は、三脚やペデスタルドリーの雲台に支持されて使用される。また、これらのレンズ装置は、特許文献１等に開示されているように、雲台の一方のパン棒（操作棒）に連結されたズームデマンドを操作することによりズーミングが行われるとともに、他方のパン棒に連結されたフォーカスデマンドを操作することによりフォーカシングが行われる。
【０００３】
ところで、ズームデマンド及びフォーカスデマンド等のテレビレンズの操作装置は、特許文献１の如く、マウンティングクランプ部材を介してパン棒に連結されるものもあるが、特にズームデマンドにおいては、パン棒の連結部が凸形状の雄型の場合に、連結部が凹形状の雌型のズームデマンドを凹凸嵌合により連結し、また、パン棒の連結部が凹形状の雌型の場合に、連結部が凸形状の雄型のズームデマンドを凹凸嵌合により連結しているものがある。
【特許文献１】特開２０００−８９０８４号公報
【発明の開示】
【発明が解決しようとする課題】
【０００４】
前述したように、ズームデマンドをパン棒に凹凸嵌合によって連結する従来のテレビレンズの操作装置は、２種類あるパン棒の雄型及び雌型の連結部に対応するように、同じく雄型及び雌型の２種類のズームデマンドを予め用意しておかなければズームデマンドをパン棒に連結することができない。よって、従来のテレビレンズの操作装置は、高価なズームデマンドを２種類用意しておかなければならないという問題があった。
【０００５】
本発明はこのような事情に鑑みてなされたもので、一つの操作装置を２種類の操作棒に連結することができるテレビレンズの操作装置を提供することを目的とする。
【課題を解決するための手段】
【０００６】
請求項１に記載の発明は、前記目的を達成するために、雲台の操作棒に連結されるとともに前記雲台に載置されたテレビレンズを操作する操作装置であって、連結部が凸形状の雄型の前記操作棒に取り付けられる、連結部が凹形状の雌型の操作装置、又は連結部が凹形状の雌型の前記操作棒に取り付けられる、連結部が凸形状の雄型の操作装置のうち、前記雌型の操作装置を有し、該雌型の操作装置を前記雌型の操作棒に取り付けるための棒状のアタッチメント部材を有することを特徴としている。
【０００７】
請求項１に記載の発明によれば、雌型の操作装置のみ有している場合において、操作棒が雄型の場合には問題なく雌型の操作装置を凹凸嵌合により操作棒に連結することができ、操作棒が雌型の場合には棒状のアタッチメント部材を介して雌型の操作装置を雌型の操作棒に連結することができる。よって、雌型の操作装置のみ有している場合は、棒状のアタッチメント部材を用意しておけば、雌型の操作装置を２種類の操作棒に連結することができる。
【０００８】
請求項２に記載の発明は、請求項１において、前記アタッチメント部材は、前記雌型の操作装置に出し入れ自在に設けられていることを特徴としている。
【０００９】
請求項２に記載の発明によれば、雌型の操作装置にアタッチメント部材を出し入れ自在に設け、使用時には雌型の操作装置からアタッチメント部材を突出させる。このように、雌型の操作装置とアタッチメント部材とを一体的に設けたので、アタッチメント部材のみ携帯する手間を省くことができ、取り扱いが容易になる。
【００１０】
請求項３に記載の発明は、前記目的を達成するために、雲台の操作棒に連結されるとともに前記雲台に載置されたテレビレンズを操作する操作装置であって、連結部が凸形状の雄型の前記操作棒に取り付けられる、連結部が凹形状の雌型の操作装置、又は連結部が凹形状の雌型の前記操作棒に取り付けられる、連結部が凸形状の雄型の操作装置のうち、前記雄型の操作装置を有し、該雄型の操作装置を前記雄型の操作棒に取り付けるための筒状のアタッチメント部材を有することを特徴としている。
【００１１】
請求項３に記載の発明によれば、雄型の操作装置のみ有している場合において、操作棒が雌型の場合には問題なく雄型の操作装置を凹凸嵌合により操作棒に連結することができ、操作棒が雄型の場合には筒状のアタッチメント部材を介して雄型の操作装置を雄型の操作棒に連結することができる。よって、雄型の操作装置のみ有している場合は、筒状のアタッチメント部材を用意しておけば、雄型の操作装置を２種類の操作棒に連結することができる。
【発明の効果】
【００１２】
以上説明したように本発明に係るテレビレンズの操作装置によれば、雌型の操作装置を雌型のパン棒に連結するための棒状のアタッチメント部材、又は雄型の操作装置を雄型のパン棒に連結するための筒状のアタッチメント部材を用意したので、一つの操作装置を２種類の操作棒に連結することができる。
【発明を実施するための最良の形態】
【００１３】
以下添付図面に従って、本発明に係るテレビレンズの操作装置の好ましい実施の形態について詳説する。
【００１４】
図１は、実施の形態に係るテレビレンズの操作装置が適用されたテレビカメラ１０の斜視図である。
【００１５】
同図に示すテレビカメラ１０は、レンズ装置１２とカメラ本体１４から構成され、ペデスタルドリー１６の上部に設置された雲台１８に、パン方向及びチルト方向に移動自在に支持される。雲台１８には、カメラマンが両手で操作する２本のパン棒（操作棒）２２、２３が後方に向けて延設されている。パン棒２２の端部には、レンズ装置１２にケーブル２５を介して接続されたズームデマンド（テレビレンズの操作装置）２６が取り付けられ、パン棒２３の端部には、レンズ装置１２にケーブル２７を介して接続されたフォーカスデマンド２８が取り付けられる。
【００１６】
ズームデマンド２６には、基準位置から両方向に回動可能なサムリング３０が設けられている。サムリング３０がカメラマンにより回転操作されると、その基準位置からの操作量、すなわち回転方向及び回転量に応じたズーム指令信号がズームデマンド２６からレンズ装置１２に与えられ、レンズ装置１２のズームレンズがワイド側又はテレ側に移動される。これにより、ズーミングが実行される。
【００１７】
一方、パン棒２３に連結されるフォーカスデマンド２８の本体３２には、操作ノブ３４が回動自在に設けられている。操作ノブ３４がカメラマンにより回転操作されると、その回転方向及び回転量に応じたフォーカス指令信号がフォーカスデマンド２８からレンズ装置１２に与えられ、レンズ装置１２のフォーカスレンズが至近側又は無限遠側に移動される。これにより、フォーカシングがマニュアル操作により実行される。
【００１８】
ところで、パン棒２２とズームデマンド２６の連結には、図２、図３に示す２種類の連結構造が従来から採用される。図２は、雄型のパン棒１２２に対する雌型のズームデマンド１２６の連結構造が示され、図３は雌型のパン棒２２２に対する雄型のズームデマンド２２６の連結構造が示されている。すなわち、パン棒１２２、２２２とズームデマンド１２６、２２６との連結構造は、雄雌の凹凸嵌合を主たる構造としている。
【００１９】
詳述すると、図２の如く雄型のパン棒１２２はその連結部１２４が棒状（凸状）に形成され、雌型のズームデマンド１２６は、パン棒１２２の連結部１２４が挿入されるようにその連結部１２８が筒状（凹状）に形成されている。また、図３の如く雌型のパン棒２２２はその連結部２２４が筒状（凹状）に形成され、雄型のズームデマンド２２６は、パン棒２２２の連結部２２４に挿入されるようにその連結部２２８が棒状（凸状）に形成されている。
【００２０】
したがって、図２、図３の連結構造の場合、図２の雄型のパン棒１２２に図３の雄型のズームデマンド２２６を連結させることは不可能であり、図３の雌型のパン棒２２２に図２の雌型のズームデマンド１２６を連結させることは不可能である。
【００２１】
なお、符号４０は、ズームデマンド１２６、２２６をカメラマンが把持するグリップ部である。また、雌型のズームデマンド１２６の連結部１２８及び雌型のパン棒２２２の連結部２２４には、すり割り４２が形成された周知構造のクランプ部４４が設けられている。このクランプ部４４のねじ部４６をピン４８で回動し、すり割り４２の隙間を狭くしていくことにより、クランプ部４４が相手側（パン棒１２２の連結部１２４、ズームデマンド２２６の連結部２２８）に圧着するので、パン棒１２２の連結部１２４とズームデマンド１２６の連結部１２８を固定することができ、パン棒２２２の連結部２２４とズームデマンド２２６の連結部２２８を固定することができる。
【００２２】
図４には、図３に示した雌型のパン棒２２２に図２に示した雌型のズームデマンド１２６を連結させるアタッチメント部材５０が示され、図５には、図２に示した雄型のパン棒１２２に図３に示した雄型のズームデマンド２２６を連結させるアタッチメント部材６０が示されている。
【００２３】
図４に示すアタッチメント部材５０は、雌型のパン棒２２２の連結部２２４に挿入される棒状の連結部５２と、雌型のズームデマンド１２６の連結部１２８に挿入される棒状の連結部５４とから構成され、連結部５２と連結部５４とは一体に且つ同軸上に設けられている。
【００２４】
パン棒２２２にズームデマンド１２６を連結する場合には、まず、アタッチメント部材５０の連結部５４をズームデマンド１２６の連結部１２８に挿入し、ズームデマンド１２６のクランプ部４４によってズームデマンド１２６の連結部１２８とアタッチメント部材５０の連結部５４とを固定する。次に、アタッチメント部材５０の連結部５２をパン棒２２２の連結部２２４に挿入し、パン棒２２２のクランプ部４４によってパン棒２２２の連結部２２４とアタッチメント部材５０の連結部５２とを固定する。これによって、雌型のパン棒２２２に雌型のズームデマンド１２６を連結することができる。
【００２５】
この態様は、雌型のズームデマンド１２６のみ有している場合において有効である。すなわち、パン棒１２２が雄型の場合には、図２の如く問題なくズームデマンド１２６をパン棒１２２に連結することができ、パン棒２２２が雌型の場合には、棒状のアタッチメント部材５０を介して雌型のズームデマンド１２６を雌型のパン棒２２２に連結することができる。よって、雌型のズームデマンド１２６のみ有している場合は、このアタッチメント部材５０を用意しておけば、雌型のズームデマンド１２６をパン棒１２２及びパン棒２２２に連結することができる。
【００２６】
図５に示すアタッチメント部材６０は、雄型のパン棒１２２の連結部１２４が挿入される筒状の連結部６２と、雄型のズームデマンド２２６の連結部２２８が挿入される筒状の連結部６４とから構成され、連結部６２と連結部６４とは一体に且つ同軸上に設けられている。また、連結部６２の端部には、前述した構成のクランプ部４４が設けられている。更に、連結部６４の端部には、すり割り６６が形成された雄ねじ部６８が形成され、この雄ねじ部６８には、雄ねじ部６８の端部に向けてねじ込まれることによって雄ねじ部６８を縮径するナット７０が螺合されている。
【００２７】
パン棒１２２にズームデマンド２２６を連結する場合には、まず、アタッチメント部材６０の連結部６４にズームデマンド２２６の連結部２２８を挿入し、アタッチメント部材６０のナット７０を雄ねじ部６８の端部に向けてねじ込み、雄ねじ部６８を縮径させる。これにより、ズームデマンド２２６の連結部２２８とアタチメント部材６０の連結部６４とが固定される。次に、アタッチメント部材６０の連結部６２にパン棒１２２の連結部１２４を挿入し、アタッチメント部材６０のクランプ部４４によってパン棒１２２の連結部１２４とアタッチメント部材６０の連結部６２とを固定する。これによって、雄型のパン棒１２２に雄型のズームデマンド２２６を連結することができる。
【００２８】
この態様は、雄型のズームデマンド２２６のみ有している場合に有効である。すなわち、パン棒２２２が雌型の場合には図３の如く問題なくズームデマンド２２６をパン棒２２２に連結することができ、パン棒１２２が雌型の場合には筒状のアタッチメント部材６０を介して雄型のズームデマンド２２６を雄型のパン棒１２２に連結することができる。よって、雄型のズームデマンド２２６のみ有している場合は、このアタッチメント部材６０を用意しておけば、雄型のズームデマンド２２６をパン棒１２２及びパン棒２２２に連結することができる。
【００２９】
図６は、ズームデマンド１２６の連結部１２８に出し入れ自在に設けたアタッチメント部材５０が示されている。
【００３０】
アタッチメント部材５０は、連結部５４が連結部１２８にガイドされて出し入れ自在に設けられるとともに、連結部５４に突設された止めねじ７２が、連結部１２８の軸方向に形成された長孔７４に沿ってスライドされることにより出し入れされる。また、長孔７４の両端部において止めねじ７２を連結部５４にねじ込むことにより、アタッチメント部材５０の連結部５２を連結部１２８から突出させた位置と、連結部１２８に収納した位置とにアタッチメント部材５０を保持することができる。また、アタッチメント部材５０の連結部５２を連結部１２８に収納した際には、パン棒１２２の連結部１２４が連結部１２８に挿入可能となっている。
【００３１】
このように構成されたズームデマンド１２６によれば、パン棒２２２が図４に示す雌型の場合には、アタッチメント部材５０の連結部５２をズームデマンド１２６の連結部１２８から突出させてパン棒２２２に連結する。また、パン棒１２２が図５に示す雄型の場合には、アタッチメント部材５０の連結部５２をズームデマンド１２６の連結部１２８に収納し、連結部１２８とパン棒１２２の連結部１２４とを連結する。
【００３２】
このように、ズームデマンド１２６とアタッチメント部材５０とを一体的に設けることにより、アタッチメント部材５０のみを携帯する手間を省くことができ、取り扱いが容易になる。また、ズームデマンド２２６の連結部２２８に対してアタッチメント部材６０を出し入れ自在に設けてもよい。
【図面の簡単な説明】
【００３３】
【図１】実施の形態のテレビレンズの操作装置が適用されたテレビカメラの斜視図
【図２】ズームデマンドとパン棒との連結構造の一例を示した説明図
【図３】ズームデマンドとパン棒との連結構造の一例を示した説明図
【図４】ズームデマンドとパン棒とをアタッチメント部材を介して連結する説明図
【図５】ズームデマンドとパン棒とをアタッチメント部材を介して連結する説明図
【図６】ズームデマンドにアタッチメント部材が出し入れ自在に設けられた要部拡大図
【符号の説明】
【００３４】
１０…テレビカメラ、１２…レンズ装置、１４…カメラ本体、２２、１２２、２２２…パン棒、２６、１２６、２２６…ズームデマンド、２８…フォーカスデマンド、３０…サムリング、４４…クランプ部
【図１】
2006333223.tif 000003
【図２】
2006333223.tif 000004
【図３】
2006333223.tif 000005
【図４】
2006333223.tif 000006
【図５】
2006333223.tif 000007
【図６】
2006333223.tif 000008